(57)【特許請求の範囲】
【請求項１】
吸入したエアを送出する送風装置であって、
回転軸を規定する駆動モータと、
前記駆動モータにより回転駆動される送風部材と、
前記駆動モータおよび前記送風部材が収容される送風ハウジングと、
前記駆動モータを駆動するバッテリを装着するためのバッテリ装着部と、
前記駆動モータの駆動状態を切替えるために使用者に操作される操作部と、
前記バッテリ装着部と前記操作部とが設けられた操作ハウジングと、を有し、
前記バッテリ装着部は、複数種類の電動工具を駆動可能な前記バッテリを着脱可能に構成されていることを特徴とする送風装置。
【請求項２】
吸入したエアを送出する送風装置であって、
回転軸を規定する駆動モータと、
前記駆動モータにより回転駆動される送風部材と、
前記駆動モータおよび前記送風部材が収容される送風ハウジングと、
前記駆動モータを駆動するバッテリを装着するためのバッテリ装着部と、
前記駆動モータの駆動状態を切替えるために使用者に操作される操作部と、
前記バッテリ装着部と前記操作部とが設けられた操作ハウジングと、
使用者による前記操作部の操作に基づき前記駆動モータの駆動状態を切替える制御部と、を有し、
前記制御部は、
前記駆動モータにおける所定時間あたりの回転数を所定の第１回転数により駆動する第１モードと、前記所定時間あたりの回転数を前記第１回転数よりも多い第２回転数により駆動する第２モードとの間で切替える切替部と、
前記第１モードから前記第２モードに切替えられた場合において所定期間の経過後に前記第１モードへと切替える復帰部とを有し、
前記制御部は、前記操作ハウジングに設けられており、
前記操作ハウジングは、前記操作ハウジングから延出され、前記バッテリの電流および前記制御部の信号を前記駆動モータへ伝達するための接続部を有し、
前記操作部は、
前記駆動モータの前記駆動状態を前記第１モードに切り替えるために操作される第１切替スイッチと、
前記駆動モータの前記駆動状態を前記第２モードに切り替えるために操作される第２切替スイッチとを有し、
前記第１切替スイッチと前記第２切替スイッチは、前記操作部において、前記接続部の基端部の両側に配置されていることを特徴とする送風装置。
【請求項３】
請求項１または２に記載された送風装置であって、
前記操作ハウジングは、使用者の衣服に係合するための操作ハウジング係合部を有することを特徴とする送風装置。
【請求項４】
吸入したエアを送出する送風装置であって、
回転軸を規定する駆動モータと、
前記駆動モータにより回転駆動される送風部材と、
前記駆動モータおよび前記送風部材が収容される送風ハウジングと、
前記駆動モータを駆動するバッテリを装着するためのバッテリ装着部と、
前記駆動モータの駆動状態を切替えるために使用者に操作される操作部と、
前記バッテリ装着部と前記操作部とが設けられた操作ハウジングと、を有し、
前記操作ハウジングは、使用者の衣服に係合するための操作ハウジング係合部を有し、
前記操作ハウジングは、起立状態にある前記使用者の前記衣服に前記操作ハウジング係合部が係合されたときに、前記バッテリ装着部に対する前記バッテリの装着方向が、上から下へ向かう方向となるように構成されていることを特徴とする送風装置。
【請求項５】
吸入したエアを送出する送風装置であって、
回転軸を規定する駆動モータと、
前記駆動モータにより回転駆動される送風部材と、
前記駆動モータおよび前記送風部材が収容される送風ハウジングと、
前記駆動モータを駆動するバッテリを装着するためのバッテリ装着部と、
前記駆動モータの駆動状態を切替えるために使用者に操作される操作部と、
前記バッテリ装着部と前記操作部とが設けられた操作ハウジングと、を有し、
前記操作ハウジングは、使用者の衣服に係合するための操作ハウジング係合部を有し、
前記バッテリ装着部は、前記使用者の前記衣服に前記操作ハウジング係合部が係合されたときに、前記衣服とは反対側に配置されることを特徴とする送風装置。
【請求項６】
請求項３〜５のいずれか１項に記載された送風装置であって、
前記操作ハウジングは、起立状態にある前記使用者の前記衣服に前記操作ハウジング係合部が係合されたときに、前記操作部が上向きに配置されるように構成されていることを特徴とする送風装置。
【請求項７】
請求項３〜６のいずれか１項に記載された送風装置であって、
前記操作ハウジング係合部は、前記衣服を挟持可能なクリップを有し、
前記クリップは、起立状態にある前記使用者の前記衣服に対する装着方向が上から下へ向かう方向となるように配置されていることを特徴とする送風装置。
【請求項８】
請求項７に記載された送風装置であって、
前記操作ハウジング係合部は、前記操作ハウジングの表面から突出して、前記衣服が前記クリップから離脱することを規制するように構成された突出部を更に有することを特徴とする送風装置。
【請求項９】
請求項８に記載された送風装置であって、
前記クリップと前記突出部は、互いから離間して配置されることを特徴とする送風装置。
【請求項１０】
請求項８または９に記載された送風装置であって、
前記突出部は、前記操作ハウジングの外側に向けて付勢されるとともに、前記操作ハウジング内に収容可能に構成されていることを特徴とする送風装置。
【請求項１１】
請求項１〜１０のいずれか１項に記載された送風装置であって、
前記操作ハウジングは、外部機器に電流を供給するための端子を有することを特徴とする送風装置。
【請求項１２】
請求項１〜１１のいずれか１項に記載された送風装置であって、
前記送風ハウジングは、使用者の衣服に前記送風ハウジングを係合可能に構成された送風ハウジング係合部を有することを特徴とする送風装置。
【請求項１３】
請求項１２に記載された送風装置であって、
前記送風ハウジング係合部は、前記回転軸と平行な方向における前記送風ハウジングの中間領域に、前記回転軸周りの周方向に設けられた第１係合部を有することを特徴とする送風装置。
【請求項１４】
請求項１３に記載された送風装置であって、
前記送風ハウジング係合部は、前記中間領域から延出して設けられた第２係合部を有することを特徴とする送風装置。
【請求項１５】
請求項１〜１４のいずれか１項に記載された送風装置であって、
前記バッテリ装着部に装着されたバッテリを有することを特徴とする送風装置。
【請求項１６】
請求項１〜１５のいずれか１項に記載された送風装置が装着される衣服であって、
前記送風ハウジングを装着するための挿通開口を有し、外部に露出する外装体と、
前記外装体と使用者の間に介在する内装体と、
前記外装体と前記内装体とにより包囲された領域に形成される内部空間部と、
前記送風ハウジングから前記内部空間部に排出されたエアを使用者における送風所要領域へと誘導するための誘導開口とを有することを特徴とする衣服。
【請求項１７】
請求項１６に記載された衣服であって、
前記誘導開口を開閉するための開口締結部を有することを特徴とする衣服。
【発明の詳細な説明】
【技術分野】
【０００１】
本発明は、使用者にエアを送出するための送風装置および当該送風装置が装着される衣服に関する。
【背景技術】
【０００２】
使用者にエアを送出するための送風装置を取り付ける合羽が、実開昭６４−３０３０８号公報に開示されている。当該文献に開示された合羽は、エアの吸入領域を外部に露出するための孔を有していた。
当該送風装置は、エアの送風による使用者の冷却に一定の効果を有していた。一方、送風装置および当該送風装置を装着する衣服として、さらに効率的に使用者を冷却するための改良が要望されていた。
【先行技術文献】
【特許文献】
【０００３】
【特許文献１】実開昭６４−３０３０８号公報
【発明の概要】
【発明が解決しようとする課題】
【０００４】
本発明はこのような点に鑑みて創案されたものであり、使用者にエアを送出するための送風装置および当該送風装置を装着する衣服において、一層合理的な技術を提供することを目的とする。
【課題を解決するための手段】
【０００５】
上記課題を解決するため、本発明の一態様に係る送風装置は、吸入したエアを送出する送風装置であって、回転軸を規定する駆動モータと、駆動モータにより回転駆動される送風部材と、駆動モータおよび送風部材が収容される送風ハウジングを有する。駆動モータの回転軸は、駆動モータにおける回転機構により規定される。特に、駆動モータが出力軸部を有する場合、回転軸は当該出力軸部により規定される。送風部材は、駆動モータの回転機構により駆動される。より具体的には、回転部材を駆動モータの出力軸部に直接的に取付けることが可能である。また、駆動モータの出力軸部に対して回転伝達機構を設け、当該回転伝達機構を介して駆動モータが送風部材を回転駆動する構成とすることもできる。
【０００６】
更に、本発明の一態様に係る送風装置は、駆動モータを駆動するバッテリを装着するためのバッテリ装着部と、駆動モータの駆動状態を切替えるために使用者に操作される操作部と、バッテリ装着部と操作部とが設けられた操作ハウジングと、を有する。よって、例えば送風ハウジングを使用者の上着の後身頃に取り付ける場合、操作ハウジングを上着の前身頃や、ズボンの腰回り部分などに装着することが可能となる。すなわち、操作部を使用者の操作に適した箇所に取付けることが可能となるため、送風装置の操作性を向上することができる。また、操作ハウジングとバッテリとを一体化して使用者に装着することができる。また、バッテリから駆動モータへと亘る導電線を、操作ハウジングと送風ハウジングとに亘る信号伝達線と一体化することが可能となる。
更に、バッテリ装着部は、複数種類の電動工具を駆動可能なバッテリを着脱可能に構成されている。よって、例えば使用者が工事現場における作業者である場合、電動工具のバッテリを送風装置に適用することが可能となる。よって、使用者は、送風装置にのみ使用するバッテリを別途に購入する必要が無くなる場合がある。
【０００７】
また、本発明の一態様に係る送風装置は、吸入したエアを送出する送風装置であって、回転軸を規定する駆動モータと、駆動モータにより回転駆動される送風部材と、駆動モータおよび送風部材が収容される送風ハウジングと、駆動モータを駆動するバッテリを装着するためのバッテリ装着部と、駆動モータの駆動状態を切替えるために使用者に操作される操作部と、バッテリ装着部と操作部とが設けられた操作ハウジングと、使用者による前記操作部の操作に基づき前記駆動モータの駆動状態を切替える制御部と、を有する。制御部は、駆動モータにおける所定時間あたりの回転数を所定の第１回転数により駆動する第１モードと、所定時間あたりの回転数を第１回転数よりも多い第２回転数により駆動する第２モードとの間で切替える切替部と、第１モードから第２モードに切替えられた場合において所定期間の経過後に第１モードへと切替える復帰部とを有する。制御部は、操作ハウジングに設けられている。そして、操作ハウジングは、操作ハウジングから延出され、バッテリの電流および制御部の信号を駆動モータへ伝達するための接続部を有する。更に、操作部は、駆動モータの駆動状態を第１モードに切り替えるために操作される第１切替スイッチと、駆動モータの駆動状態を第２モードに切り替えるために操作される第２切替スイッチとを有し、第１切替スイッチと第２切替スイッチは、操作部において、接続部の基端部の両側に配置されている。
なお、制御部は送風ハウジングもしくは操作ハウジングのいずれかに設けることが可能である。制御部が送風ハウジングに設けられた場合は、操作部から制御部への信号伝達線が送風ハウジングと操作ハウジングとに亘り形成される。一方、制御部が操作ハウジングに設けられた場合は、制御部から駆動モータへの信号伝達線が送風ハウジングと操作ハウジングとに亘り形成される。また、第１モードと第２モードとの切替にあっては、駆動モータがパルス幅変調制御（Ｐｕｌｓｅ  Ｗｉｔｈ  ｍｏｄｕｌａｔｉｏｎ）にて駆動されている場合は、デューティ比を切替えることにより行うことができる。この場合、第２モードは第１モードよりも高いデューティ比にて設定される。また、第１モードと第２モードの切替を、駆動モータに供給する電流の強さにより設定することも可能である。また復帰部が計測する所定期間は、タイマーに基づく時間の計測や、パルス発生装置に基づく所定のパルス数の計測により行うことができる。
本態様に係る送風装置によれば、使用者が第１モードにて送風装置を駆動している状態において、さらなる冷却を要望した場合に第２モードへ切替えることが可能となる。この場合、第２モードは所定期間の経過後に第１モードへと復帰するため、使用者が冷却され過ぎることを防止することが可能となる。
【０００８】
また本発明に係る送風装置における解決手段の一態様として、操作ハウジングは、使用者の衣服に装着するための操作ハウジング係合部を有することができる。操作ハウジング係合部は、操作ハウジングが装着されるべき衣服の領域に適合させ、種々の構成をとり得る。例えば、操作ハウジングを着用者のズボンにおける胴周り開口の縁部に装着させる場合には、操作ハウジング係合部として操作ハウジングにクリップを設けることができる。本形態に係る送風装置によれば、操作ハウジング係合部により操作ハウジングを衣服に固定することができるため、使用者の操作性を向上させることが可能となる。
【０００９】
また、本発明の一態様に係る送風装置は、吸入したエアを送出する送風装置であって、回転軸を規定する駆動モータと、駆動モータにより回転駆動される送風部材と、駆動モータおよび送風部材が収容される送風ハウジングと、駆動モータを駆動するバッテリを装着するためのバッテリ装着部と、駆動モータの駆動状態を切替えるために使用者に操作される操作部と、バッテリ装着部と操作部とが設けられた操作ハウジングと、を有する。そして、操作ハウジングは、使用者の衣服に係合するための操作ハウジング係合部を有し、操作ハウジングは、起立状態にある使用者の衣服に操作ハウジング係合部が係合されたときに、バッテリ装着部に対するバッテリの装着方向が、上から下へ向かう方向となるように構成されている。
【００１０】
また、本発明の一態様に係る送風装置は、吸入したエアを送出する送風装置であって、回転軸を規定する駆動モータと、駆動モータにより回転駆動される送風部材と、駆動モータおよび送風部材が収容される送風ハウジングと、駆動モータを駆動するバッテリを装着するためのバッテリ装着部と、駆動モータの駆動状態を切替えるために使用者に操作される操作部と、バッテリ装着部と操作部とが設けられた操作ハウジングと、を有する。そして、操作ハウジングは、使用者の衣服に係合するための操作ハウジング係合部を有し、バッテリ装着部は、使用者の衣服に操作ハウジング係合部が係合されたときに、衣服とは反対側に配置される。
【００１１】
また本発明に係る送風装置における解決手段の一態様として、操作ハウジングは、起立状態にある使用者の衣服に操作ハウジング係合部が係合されたときに、操作部が上向きに配置されるように構成することができる。
【００１２】
また本発明に係る送風装置における解決手段の一態様として、操作ハウジング係合部は、衣服を挟持可能なクリップを有することができる。そして、クリップは、起立状態にある使用者の衣服に対する装着方向が上から下へ向かう方向となるように配置することができる。
【００１３】
また本発明に係る送風装置における解決手段の一態様として、操作ハウジング係合部は、操作ハウジングの表面から突出して、衣服がクリップから離脱することを規制するように構成された突出部を更に有することができる。本態様によれば、クリップと突出部とにより、バッテリホルダと衣服の係合状態の安定化を図ることができる。なお、衣服がズボンである場合は、ズボン上縁部をクリップにて挟持することが可能となる。また、衣服がベルトである場合は、ベルトをクリップにて挟持することができる。使用者の姿勢により、操作ハウジングがベルトから離脱しそうになった場合は、ベルトと突出部が当接することにより、操作ハウジングとベルトの離脱を規制することが可能となる。
【００１４】
また本発明に係る送風装置における解決手段の一態様として、クリップと突出部とを離間して配置することができる。本態様に係る送風装置によれば、クリップと突出部の設計自由度を向上させることができる。
【００１５】
また本発明に係る送風装置における解決手段の一態様として、突出部は、操作ハウジングの外側に向けて付勢されるとともに、操作ハウジング内に収容可能に構成することができる。本態様に係る送風装置によれば、クリップで衣服を挟持する場合において、突出部が当該衣服に押圧され操作ハウジング内に収容される。よって、衣服の挟持をスムーズに行うことが可能となる。なお、突出部を操作ハウジング内に収容させるために、使用者に操作される引込操作部を設けることができる。当該構成にあっては、引込操作部の操作により突出部を操作ハウジング内に収容できるため、衣服をスムーズにクリップから離脱させることが可能となる。
【００１６】
また本発明に係る送風装置における解決手段の一態様として、操作ハウジングには、外部機器に電流を供給するための端子を設けることができる。本態様に係る送風装置によれば、例えば操作ハウジングに装着されたバッテリによって、携帯電話などの外部機器に対し充電を行うことが可能となる。
【００１７】
また本発明に係る送風装置における解決手段の一態様として、使用者の衣服に送風ハウジングを係合可能に構成された送風ハウジング係合部を有することができる。
【００１８】
また本発明に係る送風装置における解決手段の一態様として、送風ハウジング係合部は、回転軸と平行な方向における送風ハウジングの中間領域に、回転軸周りの周方向に設けられた第１係合部を有することができる。なお第１係合部は、ファスナーにより構成することができる。この場合、送風ハウジング係合部を一方側の務歯とし、当該一方側の務歯と係合する他方側の務歯を衣服に設けることができる。一方側の務歯と他方側の務歯とを係合および解除するためのスライダーは、いずれかの務歯側に設けることができる。なお、衣服における他方側の務歯に囲まれた領域は、送風ハウジングを配置するための挿通開口とされる。また、第１係合部は中間領域における全周に亘り設けることが可能である。
【００１９】
また本発明に係る送風装置における解決手段の一態様として、送風ハウジング係合部は、中間領域から延出して設けられた第２係合部を有することができる。第２係合部は、送風ハウジングから延出された延出片と、当該延出片に設けられた係合部とにより構成することができる。この際、衣服には係合部と係合するための被係合部が設けられる。係合部と被係合部は一対の係合ボタンにより構成することができる。第１係合部を上述したようなファスナーとした場合、被係合部は衣服側の務歯が存在しない領域に構成することができる。
【００２０】
また本発明に係る送風装置における解決手段の一態様として、送風装置は、バッテリ装着部に装着されたバッテリを有することができる。
【００２１】
また上記課題を解決するため、本発明に係る衣服は、送風ハウジングを装着するための挿通開口を有し、外部に露出する外装体と、外装体と使用者の間に介在する内装体と、外装体と内装体とにより包囲された領域に形成される内部空間部と、送風ハウジングから内部空間部に排出されたエアを使用者における送風所要領域へと誘導するための誘導開口とを有することができる。送風所要領域は、使用者がエアの供給を供給する箇所であり、特に首や脇があげられる。当該構成に係る衣服においては、挿通開口を介して送風ハウジングは外装体に装着される。エアは送風ハウジングから内部空間部に排出され、内部空間部を介して誘導開口から使用者へ向けて排出される。よって、当該態様に係る衣服によれば、使用者は送風所要領域を効果的に冷却することが可能となる。
【００２２】
また本発明に係る送風装置における解決手段の一態様として、衣服は、誘導開口を開閉するための開口締結部を有することができる。
【発明の効果】
【００２３】
本発明によれば、使用者にエアを送出するための送風装置および当該送風装置を装着する衣服において、一層合理的な技術を提供することが可能となる。
【図面の簡単な説明】
【００２４】
【図１】本発明の実施形態に係る送風装置を示す斜視図である。
【図２】送風機構の配置形態を示す説明図である。
【図３】送風ハウジングの構成を示す断面図である。
【図４】第１装着部の構成を示す斜視図である。
【図５】第２装着部の構成を示す拡大斜視図である。
【図６】操作ハウジングの構成を示す斜視図である。
【図７】操作部の構成を示す正面図である。
【図８】制御部の構成を示すブロック図である。
【図９】制御部の動作を示すフローチャートである。
【図１０】バッテリ装着部の動作を示す説明図である。
【図１１】外部機器接続部の構成を示す説明図である。
【図１２】上着への外部機器用ケーブルの配置形態を示す説明図である。
【図１３】上着の前身頃を示す斜視図である。
【図１４】上着に対する送風ハウジングの着用状態を示す斜視図である。
【図１５】上着における内部空間部を示す説明図である。
【図１６】図１５における上着による送風装置の動作を示す説明図である。
【図１７】上着における内部空間部を示す説明図である。
【図１８】図１７における上着による送風装置の動作を示す説明図である。
【図１９】バッテリホルダの構成を示す斜視図である。
【図２０】バッテリホルダの構成を示す説明図である。
【図２１】バッテリホルダの動作を示す説明図である。
【図２２】バッテリホルダの動作を示す説明図である。
【図２３】支持具の構成を示す斜視図である。
【図２４】支持具の構成を示す説明図である。
【図２５】支持具の構成を示す説明図である。
【発明を実施するための形態】
【００２５】
（送風装置の概要）
以下、本発明に係る送風装置の実施形態につき、図１〜図２５に基づき説明する。図１は、本発明の実施形態に係る送風装置１００の概要を示す斜視図である。
図１に示す通り、送風装置１００は、吸入したエアを使用者へ送出するよう構成されており、送風機構１２０を収容する送風ハウジング１１０を有する。送風機構１２０は、送風ハウジング１１０とは独立して形成された操作ハウジング２００の操作部２１０により操作される。この送風装置１００が本発明に係る「送風装置」の一例であり、送風ハウジング１１０が本発明に係る「送風ハウジング」の一例であり、操作ハウジング２００が本発明に係る「操作ハウジング」の一例であり、操作部２１０が本発明に係る「操作部」の一例である。
図１に示す通り、操作ハウジング２００には、送風機構１２０を駆動するためのバッテリ２３０ａが装着されるとともに、使用者による操作部２１０の操作に基づき送風機構１２０を制御する制御部２２０が設けられる。このバッテリ２３０ａが本発明に係る「バッテリ」の一例であり、制御部２２０が本発明に係る「制御部」の一例である。
【００２６】
バッテリ２３０ａからの電流と、制御部２２０からの信号を送風機構１２０へ伝達するために、操作ハウジング２００から第２接続部２５０が延出される。第２接続部２５０は、バッテリ２３０ａの電流を伝える導電線と制御部２２０の信号を伝える信号伝達線とが一体化された接続線２５１と、接続線２５１の先端に形成されたコネクタ２５２とを有する。一方、送風ハウジング１１０は、第２接続部２５０と接続される第１接続部１５０が延出される。第１接続部１５０は、接続線２５１からの電流や信号を送風機構１２０へ送出する接続線１５１と、接続線１５１の先端に形成されるとともにコネクタ２５２と接続されるコネクタ１５２とを有する。
図１に示す通り、送風ハウジング１１０および操作ハウジング２００は、使用者の衣服に装着される。より具体的には、送風ハウジング１１０は使用者が所定の作業を行う際に着用する作業上着３００に装着され、操作ハウジング２００は作業ズボン４００に装着される。この作業上着３００または作業ズボン４００が本発明に係る「衣服」の一例である。
【００２７】
（送風ハウジングの構成）
次に送風ハウジング１１０の構成を図２〜図５に基づき説明する。まずは図２および３に基づき送風機構１２０およびエアの吸排気に係る構成を説明するが、説明の便宜上、図２および図３においては送風ハウジング１１０を作業上着３００に装着するための構成については図示を省略する。
後述する通り、送風機構１２０は、駆動モータ１２１と、駆動モータ１２１により回転駆動される送風部材１２３とにより構成される。送風部材１２３は複数のファン１２３ａにより構成される。図２に示す通り、本実施形態に係る送風装置１００においては、２つのファン１２３ａが設けられる。この駆動モータ１２１が本発明に係る「駆動モータ」の一例であり、送風部材１２３が本発明に係る「送風部材」の一例であり、ファン１２３ａが本発明に係る「ファン」の一例である。なお、実現すべき送風装置１００の構成によって、ファン１２３ａの数は任意の数を選択することができる。
ファン１２３ａが送風ハウジング１１０内に複数個配置されているため、送風装置１００はエアを効率的に送出することが可能となる。
【００２８】
図３は送風ハウジング１１０の断面図である。図３に示す通り、送風機構１２０は、出力軸部１２２を備える駆動モータ１２１と、出力軸部１２２により回転駆動される送風部材１２３としてのファン１２３ａとを有する。本実施形態においては、駆動モータ１２１は二つ設けられており、それぞれの駆動モータ１２１における出力軸部１２２に、ファン１２３ａが配置されている。二つの出力軸部１２２の延在方向は互いに平行とされている。なお、出力軸部１２２は回転軸１２１ａを規定する。この回転軸１２１ａが本発明に係る「回転軸」の一例である。
【００２９】
図３に示す通り、送風機構１２０は送風ハウジング１１０に収容される。送風ハウジング１１０は、第１ハウジング１１１と第２ハウジング１１２とが接続されることより構成される。送風ハウジング１１０は、回転軸１２１ａと平行な方向である第１方向１００ａと、第１方向１００ａと交差する方向である第２方向１００ｂとを規定する。また、送風ハウジング１１０は、第１方向１００ａ上に位置する第１端部１１０ａと、第１端部１１０ａとは反対側に位置する第２端部１１０ｂと、第１端部１１０ａを含む領域である第１端部領域１１０ａ１と、第２端部１１０ｂを含む領域である第２端部領域１１０ｂ１と、第１方向１００ａにおいて第１端部領域１１０ａ１と第２端部領域１１０ｂ１との中間に位置する中間領域１１０ｃとを有する。第１端部１１０ａおよび第１端部領域１１０ａ１は第１ハウジング１１１に形成される。また、第２端部１１０ｂおよび第２端部領域１１０ｂ１は第２ハウジング１１２に形成される。第１端部領域１１０ａ１は、送風ハウジング１１０が作業上着３００に装着された場合において、作業上着３００の外側（使用者から離れる側）へ位置する。また、第２端部領域１１０ｂ１は、作業上着３００の内側（作業者へ向かう側）へ位置する領域を有する。
この第１方向１００ａが本発明に係る「第１方向」の一例であり、第２方向１００ｂが本発明に係る「第２方向」の一例であり、第１端部１１０ａが本発明に係る「第１端部」の一例であり、第１端部領域１１０ａ１が本発明に係る「第１端部領域」の一例であり、第２端部１１０ｂが本発明に係る「第２端部」の一例であり、第２端部領域１１０ｂ１が本発明に係る「第２端部領域」の一例であり、中間領域１１０ｃが本発明に係る「中間領域」の一例である。
【００３０】
図３に示す通り、第１ハウジング１１１の第１端部領域１１０ａ１は、複数の第１柱状部１１１ａと、隣接する第１柱状部１１１ａの間に形成される第１開放部１１１ｂとを有する。また、第２ハウジング１１２の第２端部領域１１０ｂ１は、複数の第２柱状部１１２ａと、隣接する第２柱状部１１２ａの間に形成される第２開放部１１２ｂとを有する。第１開放部１１１ｂは、第２方向１００ｂ上に設けられており吸気口を構成する。第２開放部１１２ｂは第１方向１００ａ上に設けられており排気口を構成する。この第１開放部１１１ｂが本発明に係る「吸気口」の一例であり、第２開放部１１２ｂが本発明に係る「排気口」の一例である。
図３に示す通り、駆動モータ１２１の駆動によりファン１２３ａが駆動されると、第１開放部１１１ｂ周辺の吸入領域１００ｃからエアが取り込まれ、第２開放部１１２ｂを経由して排出領域１００ｄへエアが送出される。
【００３１】
次に、作業上着３００に送風ハウジング１１０を装着するための送風ハウジング係合部に係る構成を図４および図５に基づき説明する。送風ハウジング係合部は、図４に示される第１係合部１３０と、図５に示される第２係合部１４０とを有する。
図４に示す通り、送風ハウジング１１０は作業上着３００の後身頃３１２に装着されるが、当該後身頃３１２における送風ハウジング１１０の装着領域には挿通開口３１２ａが形成されている。この挿通開口３１２ａが本発明に係る「挿通開口」の一例である。当該挿通開口３１２ａに送風ハウジング１１０を装着するために、送風ハウジング１１０と作業上着３００にはファスナーが構成される。より具体的には、送風ハウジング１１０には第１係合部１３０が構成される。第１係合部１３０は、中間領域１１０ｃにおける第１方向１００ａ周りに設けられた第１務歯１３１により構成される。作業上着３００には、第１係合部１３０と係合される第１被係合部が構成される。第１被係合部は、挿通開口３１２ａの縁部に設けられた第２務歯３６１により構成される。第１務歯１３１と第２務歯３６１の係合および係合解除を行うスライダー１３２は第１務歯１３１に設けられる。また、当該ファスナー構造は一般的な構造を有するものであるため、第１務歯１３１と第２務歯３６１以外のピンやボックスなどの構成については説明を省略する。
この第１係合部１３０が本発明に係る「第１係合部」の一例であり、第２務歯３６１が本発明に係る「第１被係合部」の一例である。
【００３２】
図４に示す通り、第１務歯１３１と第２務歯３６１は、スライダー１３２を矢印１３０ａの方向に移動させることにより係合され、スライダー１３２を矢印１３０ａとは逆の方向に移動させることにより係合が解除される。第１務歯１３１と第２務歯３６１とを係合させた状態において、第１係合部１３０は、第１方向１００ａ周りの全周に亘り送風ハウジング１１０と作業上着３００とを係止するよう構成される。この意味において、第１係合部１３０は、送風ハウジング１１０における第１方向１００ａ周りの全周に亘り設けられているということができる。
これによって、第１係合部１３０は、作業上着３００に対して送風ハウジング１１０を確実に装着できるのみならず、第２開放部１１２ｂからのエアが第１開放部１１１ｂへ移動することを規制することが可能となる。この意味において、第１係合部１３０は、エアが第２開放部１１２ｂから第１開放部１１１ａへ移動することを規制する規制部を兼用するということができる。
【００３３】
図５は、第２係合部１４０の構成を示す説明図である。送風装置１００は、送風ハウジング１１０を作業上着３００に装着する構成として、第１係合部１３０とは独立して形成される第２係合部１４０をさらに有する。この第２係合部１４０が本発明に係る「第２係合部」の一例である。
第２係合部１４０は、第１係合部１３０が装着される作業上着３００の領域とは異なる領域において送風ハウジング１１０を作業上着３００に装着可能に構成される。具体的には、第２係合部１４０は、送風ハウジング１１０の中間領域１１０ｃから延出された延出片１４１と、延出片１４１に設けられた係合ボタン１４２とにより構成される。作業上着３００には、第２係合部１４０と係合される第２被係合部が構成される。第２被係合部は、被係合ボタン３６２により構成される。この被係合ボタン３６２が本発明に係る「第２被係合部」の一例である。係合ボタン１４２と被係合ボタン３６２はそれぞれ係合および係合解除が可能な構造を有する。また、延出片１４１は布帛などの可撓性を有する素材により構成される。
第２係合部１４０が構成されることによって、第１係合部１３０による送風ハウジング１１０と作業上着３００との装着状態が不完全な場合であっても、第２係合部１４０により送風ハウジング１１０と作業上着とを接続することが可能となる。すなわち、作業上着３００からの送風ハウジング１１０の脱落可能性を低減することができる。なお、作業上着３００における第１係合部１３０と第２係合部１４０が形成される領域は、衣服側装着部３６０を構成する。
【００３４】
（操作ハウジングの構成）
次に操作ハウジング２００の構成を図６〜図１０に基づき説明する。操作ハウジング２００には、使用者によって操作される操作部２１０と、当該操作部２１０の操作に基づき駆動モータ１２１の駆動状態を切替える制御部２２０と上述した接続部２５０と、操作ハウジング２００を作業ズボン４００に装着するための操作ハウジング係合部２４０と、バッテリ２３０ａを着脱自在に配置するバッテリ装着部２３０とを有する。この操作ハウジング係合部２４０が本発明に係る「操作ハウジング係合部」の一例であり、バッテリ２３０ａが本発明に係る「バッテリ」の一例であり、バッテリ装着部２３０が本発明に係る「バッテリ装着部」の一例である。
【００３５】
図５に示す通り、操作ハウジング係合部２４０は、金属片によるクリップにより構成される。本実施形態においては、図１に示す通り操作ハウジング係合部２４０と操作ハウジング２００とで作業ズボン４００の胴周り開口縁部４１０を含む領域を挟持することにより、操作ハウジング２００を作業ズボン４００に固定する。
これによって、操作部２１０を使用者の操作に適した箇所に取付けることが可能となるため、送風装置１００の操作性を向上することができる。
【００３６】
次に、図７〜図９に基づき操作部２１０の構成および制御部２２０の動作につき説明する。図７に示す通り、操作部２１０は風量切替スイッチ２１１と、強風切替スイッチ２１３と、表示部２１２とを有する。なお便宜上、風量切替スイッチ２１１により切替えられる動作を「通常モード」とし、強風切替スイッチ２１３により切替えられる動作を「強制モード」とする。この「通常モード」が本発明に係る「第１モード」の一例であり、「強制モード」が本発明に係る「第２モード」の一例である。
制御部２２０は、風量切替スイッチ２１１が操作される度に、風量がゼロの第１通常モード（駆動モータ１２１が停止する状態）、風量が少ない状態の第２通常モード、風量が中程度の状態の第３通常モード、風量が多い状態の第４通常モードを順次切替える。また制御部２２０は、強風切替スイッチ２１３が操作された場合には、第４通常モードよりもさらに多い風量となる強制モードにて駆動モータ１２１を駆動する。より具体的には、制御部２２０は、駆動モータ１２１をパルス幅変調制御にて駆動するものであり、強制モード時のデューティ比を１００パーセントとした場合、第２通常モードのデューティ比を３０パーセント、第３通常モードのデューティ比を５０パーセント、第４通常モードのデューティ比を７０パーセントとする制御を行う。
【００３７】
また、表示部２１２は３つのＬＥＤにより構成されており、通常モードおよび強制モードの状態を示すべく点灯される。すなわち、制御部２２０は、第１通常モードの場合は全てのＬＥＤを非点灯とし、第２通常モードの場合は１つのＬＥＤを点灯し、第３通常モードの場合は２つのＬＥＤを点灯し、第４通常モードの場合は３つのＬＥＤを点灯し、強制モードの場合は全てのＬＥＤを点滅動作するよう表示部２１２を制御する。
【００３８】
次に、強制モードに係る制御部２２０の構成および動作を図８および図９に基づき説明する。図８は制御部２２０の構成を示すブロック図である。制御部２２０は、モード判別部２２１と、期間計測部２２３と、復帰部２２４と、デューティ比変更部２２２とを有する。このデューティ比変更部２２２が本発明に係る「切替部」の一例であり、復帰部２２４が本発明に係る「復帰部」の一例である。
図８に示す制御部２２０の動作を、図９に示すフローチャートに基づき説明する。Ｓ１０１により制御部２２０の動作が開始される。Ｓ１０２により、モード判別部２２１によりいずれの通常モードで駆動モータ１２１を駆動しているかが判別される。Ｓ１０３により、強風切替スイッチ２１３の操作があったかどうかが判別される。強風切替スイッチ２１３が操作された場合には、Ｓ１０４によりモード判別部２２１からデューティ比変更部２２２へと信号が送出され、駆動モータ１２１が強制モードにおけるデューティ比により駆動される。そして、Ｓ１０５により期間計測部２２３による所定期間の計測が開始される。当該所定期間計測部はタイマーにより構成される。Ｓ１０５により期間計測部２２３が所定期間の計測を完了した場合には復帰部２２４に信号が送出され、Ｓ１０２にて判別されていた通常モードへと復帰される。
これによって、使用者が通常モードにて送風装置を駆動している状態において、さらなる冷却を要望した場合に強制モードへ切替えることが可能となる。この場合、強制モードは所定期間の経過後に通常モードへと復帰するため、使用者が冷却され過ぎることを防止することが可能となる。
【００３９】
次に図１０に基づきバッテリ装着部２３０の構成を説明する。バッテリ装着部２３０はバッテリ２３０ａを着脱自在とするよう構成される。バッテリ装着部２３０に対するバッテリ２３０ａの装着は、バッテリ２３０ａに構成された延在溝と、当該延在溝と係合するようバッテリ装着部２３０に構成された延在凹部との先端同士を係合させ、バッテリ２３０ａを矢印２３０ｃ方向へスライドすることにより行われる。なお、当該スライド動作が行われた場合、バッテリ装着２３０とバッテリ２３０ａとを固定するための固定部が構成されている。なお、当該固定部に係る構成の説明は、便宜上省略する。バッテリ装着部２３０からバッテリ２３０を取り外す場合には、バッテリ２３０ａに形成された解除部２３０ｂを操作し、バッテリ装着部２３０とバッテリ２３０ａの固定を解除する。そして、バッテリ２３０ａを矢印２３０ｃとは逆の方向へスライドする。当該構成によって、操作ハウジング２２０とバッテリ２３０ａとを一体化して使用者に装着することができる。
なお、バッテリ２３０ａは複数種類の電動工具を駆動可能なバッテリにより構成されている。この場合、複数種類の電動工具とはハンマドリル、レシプロソー、掃除機などに代表される電気機器を含むものである。これによって、例えば使用者が工事現場における作業者である場合、電動工具のバッテリ２３０ａを送風装置１００に適用することが可能となる。よって、使用者は、送風装置１００にのみ使用するバッテリ２３０ａを別途に購入する必要が無くなる場合がある。なお、この意味において、バッテリ装着部２３０の構成は、同一のバッテリ２３０ａを使用可能な電動工具のバッテリ装着部と同一の構成とすることが可能となる。
【００４０】
次に、図１１および図１２に基づき外部機器端子２６０の説明を行う。図１１に示す通り、操作ハウジング２００には外部機器端子２６０が形成されている。外部機器端子２６０は接続されるべき外部機器に適合して構成することが可能であり、本実施形態における外部機器端子２６０は、携帯電話を充電するためのＵＳＢケーブル２６０ａが接続されるＵＳＢポートとされている。この外部機器端子２６０が本発明に係る「端子」の一例である。当該構成により、使用者が加工作業を行っている場合において、送風装置１００により身体を冷却するとともに携帯電話の充電を行うことが可能となる。
なお、図１２に示す通り、ＵＳＢケーブル２６０ａの配線にあたっては、作業上着３００の内側に複数のケーブル固定部３７０が形成される。さらに、作業上着３００の内側と外側を連通するケーブル挿通開口３７１が形成される。これによって、ＵＳＢケーブル２６０ａが使用者の邪魔にならない状態とすることが可能となる。
【００４１】
（作業上着の構成）
次に作業上着３００の構成および送風ハウジング１１０を作業上着３００に装着した場合の動作を図１３〜図１８に基づき説明する。図１３および図１４に示す通り、作業上着３００は、外部に露出する外装体３１０を有する。外装体３１０は、図１３に示す前身頃３１１と袖部３１３と、図１４に示す後身頃３１２を有する。図１３に示す通り、前身頃３１１は右半身部と左半身部とがファスナーによる前身頃締結部３１１ａにより係合される。後身頃３１２は、上述した挿通開口３１２ａ、第２務歯３６１および被係合ボタン３６２を有する。また、袖部３１３は、腕を挿通するための腕部開口を有する。図１４に示す通り、送風ハウジング１００は後身頃３１２に配置される。この外装体３１０が本発明に係る「外装体」の一例である。
【００４２】
図１５に示す通り、後身頃３１２における使用者側には、内装体３２０が設けられる。すなわち、内装体３２０は、外装体３１０と使用者の間に介在する。内装体３２０と後身頃３１２に包囲された領域には、内部空間部３４０が形成される。内部空間部３４０は、送風ハウジング１１０からのエアが送出される。この内装体３２０が本発明に係る「内装体」の一例であり、内部空間部３４０が本発明に係る「内部空間部」の一例である。
送風ハウジングから内部空間部１４０内に送出されたエアは、内部空間部１４０を経由して、使用者が送風を所要する領域へと誘導される。本実施形態においては、当該送風を所要する領域は首および脇とされる。首および脇に対応する内部空間部３４０には、エアを誘導するための誘導開口３３０が形成される。なお、脇における誘導開口３３０にはファスナーによる開口締結部３３１が形成される。すなわち、脇における誘導開口３３０の大きさは、開口締結部３３１により調整可能である。この誘導開口３３０が本発明に係る「誘導開口」の一例である。
また、作業上着３００に送風ハウジング１１０を装着した場合において、接続部１５０と対応する内装体３２０の領域には、当該接続部１５０を挿通するための開口３５０が形成される。なお、内装体３２０と外装体３１０は、誘導開口３３０および開口３５０が形成されていない領域にて互いに縫製などの方法によって接合される。
【００４３】
なお、外装体３１０は、撥水性および透湿性が高く、肌触りが良好な素材により構成される。具体的には、綿、毛糸、コットン、麻などの天然繊維や、ナイロン、ポリエステル、レーヨンなどの合成繊維、およびこれらを混紡した繊維による布地が好適に使用される。また、内装体３２０は、エアが通過する内部空間部１４０を形成するため、通気性の低い素材にて構成することが好ましい。具体的には、ポリ塩化ビニル（ＰＶＣ）に代表される、いわゆる軟質プラスチックによるフィルムや、通気性の低いポリエステルによるフィルムなどが好適には使用される。
【００４４】
図１５に示した脇の誘導開口３３０が開いている状態（開口締結部３３１が誘導開口３３０を締結していない状態）の動作を、図１６に基づき説明する。当該状態においては、矢印１００ｅに示される通り、送風ハウジング１１０からのエアは内部空間部３４０を介して首および脇の誘導開口３３０から使用者へ送風される。脇の誘導開口３３０からのエアは袖部３１３を介して袖周り開口から排出される。これによって、使用者は首と腕を冷却することが可能となる。
また、図１７に示す通り、開口締結部３３１におけるスライダを矢印３３１ａへ移動させると、脇の誘導開口３３０を塞ぐことが可能となる。この場合における送風ハウジング１１０からのエアは、図１８に示す通り首の誘導開口３３０のみから使用者へ送出される。
【００４５】
（バッテリホルダの構成）
次に、図１９〜図２２に基づきバッテリホルダ５００につき説明する。このバッテリホルダ５００が本発明に係る「バッテリホルダ」の一例である。バッテリホルダ５００は、上述した操作ハウジング２００に対し操作部２１０を有さない構成とされる。一方、操作ハウジング２００はバッテリ装着部２３０を有するものであるため、以下に説明するバッテリホルダ５００の構成を、操作ハウジング２００に適宜使用することが可能である。この意味において、操作ハウジング２００はバッテリホルダ５００の一形態であるであると考えることができる。
【００４６】
図１９および図２０は、バッテリホルダ５００の構成を示す斜視図である。図１９に示す通り、バッテリホルダ５００は、バッテリ２３０ａが着脱自在とされるバッテリ装着部５０１と、第１係合部５１０と、第２係合部５２０とを有する。この第１係合部５１０が本発明に係る「第１係合部」の一例であり、第２係合部５２０が本発明に係る「第２係合部」の一例である。
【００４７】
図１９に示す通り、第１係合部５１０は、連接部５１１によりバッテリホルダ５００に連接され、バッテリホルダ５００に沿って延在状に形成された延在部５１２を有する。この連接部５１１が本発明に係る「バッテリホルダ連接部」の一例であり、延在部５１２が本発明に係る「延在部」の一例である。延在部５１２は、開放端部５１３と、当該開放端部５１３と連接部５１１との間に設けられるとともにバッテリホルダ５００に近接された近接部５１４とを有する。当該構成によって、開放端部５１３から挿通された衣服を、延在部５１２とバッテリホルダ５００との間に形成された保持領域５１５に保持することができる。この保持領域５１５が本発明に係る「保持領域」の一例である。なお、延在部５１２は弾性を有しており、クリップとして機能するよう構成されている。すなわち、第１係合部は、衣服がズボンである場合はバッテリホルダ５００と近接部５１４との間で当該ズボンを挟持することができ、衣服がベルトである場合は、保持領域５１５にベルトを配置することができる。
【００４８】
図１９に示す通り、第２係合部５２０は、バッテリホルダ５００の表面から突出する突出部５２１を有する。この突出部５２１が本発明に係る「突出部」の一例である。突出部５２１は、使用者に操作される引込操作部５２２に連接されている。また、バッテリホルダ５００の内部において、突出部５２１はバネなどの付勢部材によりバッテリホルダ５００の外側方向へ付勢される。バッテリホルダ５００は、突出部５２１を露出させる開口５０２と、引込操作部５２２を露出させる開口５０３とを有する。当該構成によって、突出部５２１が押圧されたり、使用者が引込操作部５２２を操作した場合は、図２０に示す通り突出部５２１がバッテリホルダ５００内に収容される。すなわち、突出部５２１はバッテリホルダ５２１に対し出没自在に構成される。
【００４９】
図１９に示す通り、突出部５２１は壁部５２１ａと傾斜部５２１ｂとを有する。延在部５１２において連接部５１１と開放端部５１３とを通過する方向をバッテリホルダ５００の延在方向とし、当該延在方向において開放端部５１３から連接部５１１へと向かう側を第１側とし、連接部５１１から開放端部５１３からへ向かう側を第２側とした場合、壁部５２１ａは突出部５２１の第１側に形成される。また、傾斜部５２１ｂは、第１側から第２側へ向かい暫時突出高さを減少するように構成される。
なお、図１９に示す通り、第１係合部５１０と第２係合部５２０とは離間した位置に配置される。これによって、第１係合部５１０と第２係合部５２０の設計自由度を向上させることができる。
また、バッテリホルダ５００の延在方向において、突出部５２１は連接部５１１から開放端部５１３に亘る領域に配置することが好ましい。これによって、突出部５２１を保持領域５１５と隣接する位置に配置することが可能となる。
【００５０】
バッテリホルダ５００の動作を図２１および図２２に基づき説明する。なお、図２１および図２２においては、説明の便宜上、引込操作部５２２や接続線２５１などの記載を省略する。
図２１は、バッテリホルダ５００を使用者のベルト４２０に装着した状態を示す。この場合、使用者は起立しているものとする。
使用者がベルト４２０にバッテリホルダ５００を装着する場合、開放端部５１３とバッテリホルダ５００の表面の間にベルト４２０を配置させ、バッテリホルダ５００を押し込む。これによって、保持領域５１５にベルト４２０を配置させることができる。この場合、突出部５２１は、傾斜部５２１ｂがベルト４２０に押圧されることによりバッテリホルダ５００内に収容され、ベルト４２０が突出部４２１を通過した後にバッテリホルダ５００から突出される。
図２１に示す状態においては、ベルト４２０は保持領域５１５に保持されるとともに、ベルト４２０の上側縁部が連接部５１１とバッテリホルダ５００とに亘る領域に当接する。この場合、バッテリホルダ５００は自重により重力方向に向かおうとするため、ベルト４２０の上側縁部と当該領域とは当接する。これによって、バッテリホルダ５００はベルト４２０に保持される。
【００５１】
図２２は、使用者が前かがみになった状態を示す。この場合、バッテリホルダ５００は自重により移動するため、ベルト４２０の下側縁部と突出部５２１の壁部５２１ａとが当接する。これによって、バッテリホルダ５００がベルト４２０から離間する方向への移動が規制される。すなわち、ベルト４２０からのバッテリホルダ５００の脱落を抑制することが可能となる。
なお、ベルト４２０からバッテリホルダ５００を取り外す場合には、使用者が引込操作部５２２を操作し、突出部５２１をバッテリホルダ５００に収容させることにより、バッテリホルダ５００をベルト４２０から引き抜くことができる。
【００５２】
（支持具の構造）
次に、図２３〜図２５に基づき支持具６００の構成につき説明する。この支持具６００が本発明に係る「支持具」の一例である。送風ハウジング１１０を作業上着３００に係合した場合においては、送風ハウジング１１０が自重により使用者の背面側に倒れこむことがある。このような状況にあっては、送風ハウジング１００から作業上着３００の内部にエアを安定して供給しにくい場合が生じ得る。そこで、作業上着３００に対する送風ハウジング１１０の姿勢を安定化させるために、支持具６００を使用することができる。
【００５３】
図２３は、送風ハウジング１１０に支持具６００を取り付けた状態を示す。支持具６００は、送風ハウジング１１０に取り付けられる送風ハウジング取付部６１０と、使用者の衣服に止着される衣服止着部６２０と、を有する。この送風ハウジング取付部６１０が本発明に係る「送風ハウジング取付部」の一例であり、衣服止着部６２０が本発明に係る「衣服止着部」の一例である。送風ハウジング取付部６１０と衣服止着部６２０とは、ゴムなどによる可撓性部材６３０を介して連結される。この可撓性部材６３０が本発明に係る「可撓性部材」の一例である。
【００５４】
図２４に示す通り、送風ハウジング取付部６１０は、延在部６１１と、延在部６１１から延出された係合部６１２とを有する。係合部６１２は、送風ハウジング６１０に係合可能に構成されている。なお、送風ハウジング６１０と係合部６１２とを係合し、さらに延在部６１１と送風ハウジング６１０をネジなどの固定部材により締結することもできる。
図２４に示す通り、衣服止着部６２０は第１延在部６２１と、第２延在部６２２とを有する。この第１延在部６２１が本発明に係る「第１止着部延在部」の一例であり、第２延在部６２２が本発明に係る「第２止着部延在部」の一例である。第１延在部６２１と第２延在部６２２は回動可能に連結される。
【００５５】
より具体的には、図２４に示す通り、第２延在部６２２の回動端部６２２ｂとベース部６２２ａとが回動軸部６２１を介して連結される。なお、第２延在部６２２とベース部６２２ａとの間には、トーションバネが配置されている。当該トーションバネにより、第１延在部６２１と第２延在部６２２は互いに近接する方向に付勢される。
図２５に示す通り、第１延在部６２１とベース部６２２ａとは、第１延在部６２１に形成された孔部６２１ｂとベース部６２２ａの孔部（図示省略）とを位置決めした後、ネジによる固定部材６４０により締結される。なお、孔部６２１ｂは複数個所設けられている。この複数個所の孔部６２１ｂのいずれを選択するかによって、第１延在部６２１と第２延在部６２２の位置関係を決定することができる。すなわち、使用者は自己の身長や衣服のサイズに合わせて、第１延在部６２１と第２延在部６２２の位置関係を適宜調整することが可能となる。
なお、第１延在部６２１における第２延在部６２２が配置される側には、複数の凸部６２１ａが形成される。当該凸部６２１ａは、図２５における左右方向に延在されている。当該凸部６２１ａにより、使用者は孔部６２１ｂとベース部６２２ａの位置決めを容易に行うことができる。さらに、凸部６２１ａが左右方向に延在されているため、第１延在部６２１とベース部６２２ａを固定部材６４０に締結する場合に、ねじ締めに伴うベース部６２２ａの回転を抑制することが可能となる。
【００５６】
図２４に示す通り、第２延在部６２２は、回動端部６２２ｂと、開放端部６２２ｃと、当該回動端部６２２ｂと開放端部６２２ｃとの間に形成されるとともに第１延在部６２１に近接するよう構成された屈曲部６２２ｄと、複数の凸部６２２ｅとを有する。
【００５７】
次に、図２３に基づき支持具６００の動作につき説明を行う。なお、衣服用止着部６２０は、使用者のズボン上縁部に止着されるものとする。作業上着３００に係合された送風ハウジング１１０に送風ハウジング取付部６１０を取り付ける。この場合、送風ハウジング１１０に送風ハウジング取付部６１０を取り付けた後に、送風ハウジング１１０と作業上着３００を係合することもできる。
当該状態において、第１延在部６２１と第２延在部６２２との間に使用者のズボン上縁部を配置する。この場合、第１延在部６２１を人体側に配置し、第２延在部６２２を人体から離れる側に配置する。第１延在部６２１と第２延在部６２２は回動軸部６２３を介して互いに近接する方向に付勢されているため、ズボンを第１延在部６２１と第２延在部６２２とにより挟持することができる。なお、図２４に示される凸部６２１ａおよび凸部６２２ｅとにより、第１延在部６２１と第２延在部６２２によるズボンの挟持を安定化させることができる。
これによって、操作ハウジング１１０は、下方から支持されることとなる。よって、作業上着３００と操作ハウジング１１０との位置関係を安定化することが可能となる。
なお、使用者が上体を倒すなどの動作を行った場合には、可撓性部材６３０が撓むことにより、送風ハウジング取付部６１０が使用者の動作に追随して可撓性部材６３０を中心として回動する。これによって、使用者が動作を行っても、支持具６００は送風ハウジング１１０を支持可能となり、さらに、支持具６００の破損を防止することが可能となる。
【００５８】
本発明に係る送風装置１００は上述した構成に限定されるものではない。例えば送風部材１２３を単一のファン１２３ａにより構成することが可能である。当該構成であっても、操作部２１０により通常モードと強制モードの切替を行うことができるため、使用者を効率よく冷却する送風装置１００を提供することが可能となる。
【００５９】
（本実施形態の各構成要素と本発明の各構成要素の対応）
上述した実施形態における各構成要素と、本発明における各構成要素の対応関係を次の通り示す。
送風装置１００は本発明に係る「送風装置」の一例である。送風ハウジング１１０は本発明に係る「送風ハウジング」の一例である。操作ハウジング２００、バッテリホルダ５００の各々は本発明に係る「操作ハウジング」の一例である。操作部２１０は本発明に係る「操作部」の一例である。バッテリ２３０ａは本発明に係る「バッテリ」の一例である。バッテリ装着部２３０、５０１の各々は本発明に係る「バッテリ装着部」の一例である。制御部２２０は本発明に係る「制御部」の一例である。作業上着３００、作業ズボン４００、ベルト４２０の各々は本発明に係る「衣服」の一例である。駆動モータ１２１は本発明に係る「駆動モータ」の一例である。送風部材１２３は本発明に係る「送風部材」の一例である。回転軸１２１ａは本発明に係る「回転軸」の一例である。挿通開口３１２ａは本発明に係る「挿通開口」の一例である。第１係合部１３０は本発明に係る「第１係合部」の一例である。第２装着部１４０は本発明に係る「第２係合部」の一例である。操作ハウジング係合部２４０は本発明に係る「操作ハウジング係合部」の一例である。第１係合部５１０および第２係合部５２０は本発明に係る「操作ハウジング係合部」の別の一例である。操作ハウジング係合部２４０、第１係合部５１０の各々は本発明に係る「クリップ」の一例である。突出部５２１は本発明に係る「突出部」の一例である。「通常モード」は本発明に係る「第１モード」の一例である。「強制モード」は本発明に係る「第２モード」の一例である。デューティ比変更部２２２は本発明に係る「切替部」の一例である。復帰部２２４は本発明に係る「復帰部」の一例である。第２接続部２５０は本発明に係る「接続部」の一例である。風量切替スイッチ２１１は本発明に係る「第１切替スイッチ」の一例である。強風切替スイッチ２１３は本発明に係る「第２切替スイッチ」の一例である。外部機器端子２６０は本発明に係る「端子」の一例である。外装体３１０は本発明に係る「外装体」の一例である。内装体３２０は本発明に係る「内装体」の一例である。内部空間部３４０は本発明に係る「内部空間部」の一例である。誘導開口３３０は本発明に係る「誘導開口」の一例である。開口締結部３３１は本発明に係る「開口締結部」の一例である。
【００６０】
以上の発明の趣旨に鑑み、本発明に係る衣服は、下記の態様が構成可能である。
（態様１）
吸入したエアを送出する送風装置であって、
回転軸を規定する駆動モータと、前記駆動モータにより回転駆動される送風部材とが収容される送風ハウジングを有し、
前記送風ハウジングは、
前記回転軸と平行な方向である第１方向と、前記第１方向と交差する方向である第２方向とを規定し、
前記第１方向上に位置する第１端部と、前記第１方向上において前記第１端部とは反対側に位置する第２端部と、
前記第１端部を含む領域である第１端部領域と、
前記第２端部を含む領域である第２端部領域と、
前記第１方向において前記第１端部領域と前記第２端部領域との中間に位置する中間領域と、
前記第２方向上における前記第１端部領域に設けられた吸気口と、
前記第１方向上における前記第２端部領域に設けられた排気口と、を有し、
前記送風部材はファンにより構成され、
前記送風装置は、さらに、前記駆動モータの駆動状態を切替えるために使用者に操作される操作部と、前記操作部が設けられた操作ハウジングと、使用者による前記操作部の操作に基づき前記駆動モータの駆動状態を切替える制御部と、を有し、
前記制御部は、前記駆動モータにおける所定時間あたりの回転数を所定の第１回転数により駆動する第１モードと、前記所定時間あたりの回転数を前記第１回転数よりも多い第２回転数により駆動する第２モードとの間で切替える切替部と、
前記第１モードから前記第２モードに切替えられた場合において所定期間の経過後に前記第１モードへと切替える復帰部とを有することを特徴とする送風装置。
【００６１】
（態様２）
態様１に記載された送風装置であって、
使用者の衣服に前記送風ハウジングを係合可能に構成された送風ハウジング係合部を有することを特徴とする送風装置。
【００６２】
（態様３）
態様２に記載された送風装置であって、
前記送風ハウジング係合部は、前記中間領域における前記第１方向周りに設けられる第１係合部を有することを特徴とする送風装置。
【００６３】
（態様４）
態様２または３に記載された送風装置であって、
前記送風ハウジング係合部は、前記中間領域から延出して設けられる第２係合部を有することを特徴とする送風装置。
【００６４】
（態様５）
態様１〜４のいずれかに記載された送風装置であって、
前記操作ハウジングは、使用者の衣服に係合するための操作ハウジング係合部を有することを特徴とする送風装置。
【００６５】
（態様６）
態様１〜５のいずれかに記載された送風装置であって、
前記駆動モータは、複数種類の電動工具を駆動可能なバッテリにより駆動されることを特徴とする送風装置。
【００６６】
（態様７）
態様６に記載された送風装置であって、
前記操作ハウジングは、前記バッテリを装着するためのバッテリ装着部を有することを特徴とする送風装置。
【００６７】
（態様８）
態様７に記載された送風装置であって、
前記操作ハウジングには、外部機器に電流を供給するための端子が設けられていることを特徴とする送風装置。
【００６８】
（態様９）
態様１〜８に記載された送風装置が装着される衣服であって、
前記送風ハウジングの前記排出口を使用者側に挿通するための挿通開口を有することを特徴とする衣服。
【００６９】
（態様１０）
態様９に記載された送風装置が装着される衣服であって、
前記挿通開口の開口縁部に設けられるとともに前記第１係合部と係合されるように構成された第１被係合部とを有することを特徴とする衣服。
【００７０】
（態様１１）
態様９または１０に記載された送風装置が装着される衣服であって、
前記第２係合部と係合されるように構成された第２被係合部とを有することを特徴とする衣服。
【００７１】
（態様１２）
態様９〜１１のいずれかに記載された衣服であって、
外部に露出されるとともに前記挿通開口が設けられる外装体と、
前記外装体と使用者の間に介在する内装体と、
前記外装体と前記内装体とにより包囲された領域に形成される内部空間部と、を有し、
前記内装体は、前記内部空間部におけるエアを使用者における送風所要領域へと誘導するための誘導開口を有することを特徴とする衣服。
【００７２】
（態様Ａ）
バッテリが装着されるバッテリホルダにおいて、
バッテリ装着部と、前記バッテリホルダに設けられた第１係合部および第２係合部と、を有し、
前記第１係合部は、バッテリホルダ連接部と、前記バッテリホルダ連接部に接続されるとともに前記バッテリホルダに沿って延在状に形成された延在部と、前記延在部と前記バッテリホルダの表面の間に形成されて、使用者の衣服を保持する保持領域と、を有し、
前記第２係合部は、前記バッテリホルダの表面から突出して、前記保持領域に保持された衣服が前記保持領域から離脱することを規制する突出部を有することを特徴とするバッテリホルダ。
【００７３】
（態様Ｂ）
態様Ａに記載されたバッテリホルダであって、
前記第２係合部と、前記第１係合部とは離間して配置されることを特徴とするバッテリホルダ。
【００７４】
（態様Ｃ）
態様ＡまたはＢに記載されたバッテリホルダであって、
前記突出部は、前記バッテリホルダの外側に付勢されるとともに、前記バッテリホルダ内に収容可能に構成されることを特徴とするバッテリホルダ
【００７５】
（態様ａ）
使用者の衣服に取付可能に構成された送風ハウジングの支持具であって、
前記送風ハウジングに取り付けられる送風ハウジング取付部と、使用者の衣服に止着される衣服止着部と、を有することを特徴とする送風ハウジングの支持具。
【００７６】
（態様ｂ）
態様ａに記載された送風ハウジングの支持具であって、
前記送風ハウジング取付部と前記衣服止着部とは可撓性部材を介して連結されていることを特徴とする送風ハウジングの支持具。
【００７７】
（態様ｃ）
態様ａまたは態様ｂに記載された送風ハウジングの支持具であって、
前記衣服止着部は、第１止着部延在部と、第２止着部延在部と、前記第１止着部延在部と前記第２止着部延在部とを相対的に回動可能に連結する回動軸部と、を有することを特徴とする送風ハウジングの支持具。
【符号の説明】
【００７８】
１００  送風装置
１００ａ  第１方向
１００ｂ  第２方向
１００ｃ  吸入領域
１００ｄ  排出領域
１００ｅ  矢印
１１０  送風ハウジング
１１０ａ  第１端部
１１０ａ１  第１端部領域
１１０ｂ  第２端部
１１０ｂ１  第２端部領域
１１０ｃ  中間領域
１１１  第１ハウジング
１１１ａ  第１柱状部
１１１ｂ  第１開放部（吸気口）
１１２  第２ハウジング
１１２ａ  第２柱状部
１１２ｂ  第２開放部（排気口）
１１３  接合部
１２０  送風機構
１２１  駆動モータ
１２１ａ  回転軸
１２２  出力軸部
１２３  送風部材
１２３ａ  ファン
１３０  第１係合部
１３０ａ  矢印
１３１  第１務歯
１３２  スライダー
１４０  第２係合部
１４０ａ  矢印
１４１  延在片
１４２  係合ボタン
１５０  第１接続部
１５１  接続線
１５２  コネクタ
２００  操作ハウジング
２１０  操作部
２１１  風量切替スイッチ
２１２  表示部
２１３  強風切替スイッチ
２２０  制御部
２２１  モード判別部
２２２  デューティ比変更部
２２３  期間計測部
２２４  復帰部
２３０  バッテリ装着部
２３０ａ  バッテリ
２３０ｂ  解除部
２３０ｃ  矢印
２４０  操作ハウジング係合部
２５０  第２接続部
２５１  接続線
２５２  コネクタ
２６０  外部機器端子
２６０ａ  ＵＳＢケーブル
３００  作業上着（衣服）
３１０  外装体
３１１  前身頃
３１１ａ  前身頃締結部
３１２  後身頃
３１２ａ  挿通開口
３１３  袖部
３１４  腕部開口
３１５  首開口
３２０  内装体
３３０  誘導開口
３３１  開口締結部
３３１ａ  矢印
３４０  内部空間部
３５０  開口
３６０  衣服側係合部
３６１  第２務歯（第１被係合部）
３６２  被係合ボタン（第２被係合部）
３７０  ケーブル固定部
３７１  ケーブル挿通開口
４００  作業ズボン
４１０  胴周り開口縁部
４２０  ベルト
５００  バッテリホルダ
５０１  バッテリ装着部
５０２  開口
５０３  開口
５１０  第１係合部
５１１  連接部（バッテリホルダ連接部）
５１２  延在部
５１３  開放端部
５１４  近接部
５１５  保持領域
５２０  第２係合部
５２１  突出部
５２１ａ  壁部
５２１ｂ  傾斜部
５２２  引込操作部
６００  支持具
６１０  送風ハウジング取付部
６１１  延在部
６１２  係合部
６２０  衣服止着部
６２１  第１延在部（第１止着部延在部）
６２１ａ  凸部
６２１ｂ  孔部
６２２  第２延在部（第２止着部延在部）
６２２ａ  ベース部
６２２ｂ  回動端部
６２２ｃ  開放端部
６２２ｄ  屈曲部
６２２ｅ  凸部
６２３  回動軸部
６３０  可撓性部材
６４０  固定部材
【図１】
0006621273.tif 000002
【図２】
0006621273.tif 000003
【図３】
0006621273.tif 000004
【図４】
0006621273.tif 000005
【図５】
0006621273.tif 000006
【図６】
0006621273.tif 000007
【図７】
0006621273.tif 000008
【図８】
0006621273.tif 000009
【図９】
0006621273.tif 000010
【図１０】
0006621273.tif 000011
【図１１】
0006621273.tif 000012
【図１２】
0006621273.tif 000013
【図１３】
0006621273.tif 000014
【図１４】
0006621273.tif 000015
【図１５】
0006621273.tif 000016
【図１６】
0006621273.tif 000017
【図１７】
0006621273.tif 000018
【図１８】
0006621273.tif 000019
【図１９】
0006621273.tif 000020
【図２０】
0006621273.tif 000021
【図２１】
0006621273.tif 000022
【図２２】
0006621273.tif 000023
【図２３】
0006621273.tif 000024
【図２４】
0006621273.tif 000025
【図２５】
0006621273.tif 000026